(57)【要約】【課題】像担持体上に形成される潜像が乱れる不具合が生じることなく、トナー容器の内壁に付着して残留するトナーを少なくすることができる、トナー補給装置、及び、画像形成装置を提供する。【解決手段】トナー容器３２Ｙをトナー補給動作時における正方向とは逆の逆方向にも回転駆動できるように構成して、トナー像が担持される感光体ドラム１Ｙ（像担持体）の表面に潜像が形成されないタイミングで、トナー容器３２Ｙを逆方向に回転駆動しながら、少なくともトナー容器３２Ｙを正方向に回転駆動するときよりも大きな振動をトナー容器３２Ｙに与えている。【選択図】図６
2015200769.tif 000002
【特許請求の範囲】
【請求項１】
略筒状に形成されたトナー容器を正方向に回転駆動して当該トナー容器に収容されたトナーを容器外に排出させるトナー補給装置であって、
前記トナー容器を前記正方向とは逆の逆方向にも回転駆動できるように構成され、
トナー像が担持される像担持体の表面に潜像が形成されないタイミングで、前記トナー容器を前記逆方向に回転駆動しながら、少なくとも前記トナー容器を前記正方向に回転駆動するときよりも大きな振動を当該トナー容器に与えることを特徴とするトナー補給装置。
【請求項２】
前記トナー容器は、その外周面に、前記正方向の回転方向に対して上流側から下流側に向けて突出量が漸増するように形成された突出部を具備し、
前記トナー容器の前記正方向又は前記逆方向の回転周期に合わせて前記突出部に接触するように前記外周面に摺接する弾性部材を備えたことを特徴とする請求項１に記載のトナー補給装置。
【請求項３】
前記トナー容器は、その外周面に、前記正方向の回転方向に対して下流側から上流側に向けて窪み量が漸増するように形成された窪み部を具備し、
前記トナー容器の前記正方向又は前記逆方向の回転周期に合わせて前記窪み部に接触するように前記外周面に摺接する弾性部材を備えたことを特徴とする請求項１に記載のトナー補給装置。
【請求項４】
前記弾性部材は、前記正方向に回転する前記トナー容器に対してカウンタ方向に摺接するように形成されて、その先端部が前記トナー容器から離れる方向に反るように形成された板バネであることを特徴とする請求項２又は請求項３に記載のトナー補給装置。
【請求項５】
前記トナー容器は当該トナー補給装置に対して着脱可能に設置され、
前記トナー容器が新たに当該トナー補給装置に装着されたときに、前記トナー容器を前記逆方向に回転駆動しながら前記大きな振動を当該トナー容器に与える動作を実行することを特徴とする請求項１〜請求項４のいずれかに記載のトナー補給装置。
【請求項６】
前記トナー容器の内部に収容されたトナーが空になった状態又はそれに近い状態を検知するトナー残量検知手段を備え、
前記トナー残量検知手段によって前記空になった状態又はそれに近い状態が検知されたときに、前記トナー容器を前記逆方向に回転駆動しながら前記大きな振動を当該トナー容器に与える動作を実行して、その後に前記トナー残量検知手段によって再び前記空になった状態又はそれに近い状態が検知されたときに、その状態を報知することを特徴とする請求項１〜請求項５のいずれかに記載のトナー補給装置。
【請求項７】
前記トナー容器の前記正方向の回転駆動時間を検知する駆動時間検知手段を備え、
前記駆動時間検知手段によって検知された回転駆動時間が所定時間に達するごとに、前記トナー容器を前記逆方向に回転駆動しながら前記大きな振動を当該トナー容器に与える動作を実行することを特徴とする請求項１〜請求項６のいずれかに記載のトナー補給装置。
【請求項８】
前記トナー容器の近傍の温湿度を検知する温湿度検知手段を備え、
前記温湿度検知手段によって検知された温湿度に応じて、前記トナー容器を前記逆方向に回転駆動しながら前記大きな振動を当該トナー容器に与える動作を実行する動作間隔又は動作時間を可変することを特徴とする請求項１〜請求項７のいずれかに記載のトナー補給装置。
【請求項９】
前記トナー容器を前記逆方向に回転駆動しながら前記大きな振動を当該トナー容器に与える動作が実行された後に、その実行時間と同じ時間だけ前記トナー容器を前記正方向に回転駆動することを特徴とする請求項１〜請求項８のいずれかに記載のトナー補給装置。
【請求項１０】
請求項１〜請求項９のいずれかに記載のトナー補給装置を備えたことを特徴とする画像形成装置。
【発明の詳細な説明】
【技術分野】
【０００１】
この発明は、トナー容器を正方向に回転駆動してトナー容器に収容されたトナーを容器外に排出させて現像装置等の被補給体に向けて補給するトナー補給装置と、それを備えた画像形成装置と、に関するものである。
【背景技術】
【０００２】
従来から、複写機、プリンタ、ファクシミリ、又は、それらの複合機等の画像形成装置において、略筒状のトナーカートリッジ（トナー容器）に収容されたトナーを回転駆動して、トナー容器に収容されたトナーを容器外に排出するトナー補給装置を設置したものが知られている（例えば、特許文献１〜３参照。）。
【０００３】
詳しくは、特許文献１において、トナーカートリッジ（トナー容器）は、外周面から内周面に向けて突出する螺旋状の突起が形成された略筒状の容器本体が設けられている。そして、駆動モータによって容器本体が所定方向（正方向）に回転駆動されることで、螺旋状の突起によって容器本体内のトナーが排出口に向けて搬送されて、排出口からトナーが排出される。そして、トナーカートリッジから排出されたトナーは、連通路（落下経路部）を落下した後に、その真下に位置する吸引口から粉体ポンプによる吸引によって吸引されて、吸引口に接続された搬送管を介して現像装置（被補給体）に向けて、搬送されて補給されることになる。
【０００４】
一方、特許文献２、３等には、略筒状のトナー容器（トナーボトル）が着脱可能に設置されるトナー補給装置において、トナー容器の内壁に付着して残留するトナーを少なくして容器内に収容したトナーをきれいに使い切ることを目的として、トナー容器を回転駆動しながらトナー容器に振動を与える技術が開示されている。
【発明の概要】
【発明が解決しようとする課題】
【０００５】
上述した特許文献２、３等のトナー補給装置は、トナー容器を回転駆動しながらトナー容器に振動を与えているため、トナー容器の内壁に付着して残留するトナーを少なくする効果が大いに期待できる。
しかし、トナー容器を回転駆動するときにトナー容器に一様に大きな振動を付与してしまうと、その振動が感光体ドラム（像担持体）に潜像を形成する書込み部（露光部）に伝わってしまい、感光体ドラム上に形成される潜像が乱れてしまう不具合が生じてしまうことがあった。そして、このように感光体ドラム上に形成される潜像が乱れてしまうと、感光体ドラムや記録媒体に形成されるトナー像も同様に乱れてしまうことになる。
【０００６】
この発明は、上述のような課題を解決するためになされたもので、像担持体上に形成される潜像が乱れる不具合が生じることなく、トナー容器の内壁に付着して残留するトナーを少なくすることができる、トナー補給装置、及び、画像形成装置を提供することにある。
【課題を解決するための手段】
【０００７】
この発明の請求項１記載の発明にかかるトナー補給装置は、略筒状に形成されたトナー容器を正方向に回転駆動して当該トナー容器に収容されたトナーを容器外に排出させるトナー補給装置であって、前記トナー容器を前記正方向とは逆の逆方向にも回転駆動できるように構成され、トナー像が担持される像担持体の表面に潜像が形成されないタイミングで、前記トナー容器を前記逆方向に回転駆動しながら、少なくとも前記トナー容器を前記正方向に回転駆動するときよりも大きな振動を当該トナー容器に与えるものである。
【発明の効果】
【０００８】
本発明によれば、像担持体上に形成される潜像が乱れる不具合が生じることなく、トナー容器の内壁に付着して残留するトナーを少なくすることができる、トナー補給装置、及び、画像形成装置を提供することができる。
【図面の簡単な説明】
【０００９】
【図１】この発明の実施の形態における画像形成装置を示す全体構成図である。
【図２】トナー補給装置を示す全体構成図である。
【図３】作像部を示す断面図である。
【図４】粉体ポンプを示す断面図である。
【図５】設置部に設置されたトナー容器を示す斜視図である。
【図６】（Ａ１）〜（Ａ３）トナー容器が正方向に回転する動作を示す図と、（Ｂ１）〜（Ｂ２）トナー容器が逆方向に回転する動作を示す図と、である。
【図７】トナー補給装置でおこなわれる制御を示すフローチャートである。
【図８】変形例１としての、トナー容器が回転する動作を示す図である。
【図９】変形例２としての、トナー容器が回転する動作を示す図である。
【発明を実施するための形態】
【００１０】
実施の形態．
以下、この発明を実施するための形態について、図面を参照して詳細に説明する。なお、各図中、同一又は相当する部分には同一の符号を付しており、その重複説明は適宜に簡略化ないし省略する。
【００１１】
まず、図１〜図３にて、画像形成装置全体の構成・動作について説明する。
図１は画像形成装置としてのプリンタを示す構成図であり、図２はそのトナー補給装置（粉体補給装置）を示す構成図であり、図３は作像部を示す拡大図である。
図１に示すように、画像形成装置本体１００の上方にある設置部３１（トナー容器受台）には、各色（イエロー、マゼンタ、シアン、ブラック）に対応した４色の略筒状のトナー容器３２Ｙ、３２Ｍ、３２Ｃ、３２Ｋ（粉体容器）が着脱可能（交換可能）に載置されている。また、各トナー容器３２Ｙ、３２Ｍ、３２Ｃ、３２Ｋの下方には、それぞれ、トナー補給装置の貯留部８１Ｙ、８１Ｍ、８１Ｃ、８１Ｋが配設されている。
また、設置部３１の下方には中間転写ユニット１５が配設されている。その中間転写ユニット１５の中間転写ベルト８に対向するように、各色（イエロー、マゼンタ、シアン、ブラック）に対応した作像部６Ｙ、６Ｍ、６Ｃ、６Ｋが並設されている。
【００１２】
図２を参照して、イエローに対応した作像部６Ｙは、像担持体としての感光体ドラム１Ｙと、感光体ドラム１Ｙの周囲に配設された帯電部４Ｙ、被補給体としての現像装置５Ｙ（現像部）、クリーニング部２Ｙ、除電部（不図示である。）等で構成されている。そして、感光体ドラム１Ｙ上で、作像プロセス（帯電工程、露光工程、現像工程、転写工程、クリーニング工程）がおこなわれて、感光体ドラム１Ｙ上にイエロー画像が形成されることになる。
【００１３】
なお、他の３つの作像部６Ｍ、６Ｃ、６Ｋも、使用されるトナーの色が異なる以外は、イエローに対応した作像部６Ｙとほぼ同様の構成となっていて、それぞれのトナー色に対応した画像が形成される。以下、他の３つの作像部６Ｍ、６Ｃ、６Ｋの説明を適宜に省略して、イエローに対応した作像部６Ｙのみの説明をおこなうことにする。
【００１４】
図２を参照して、像担持体としての感光体ドラム１Ｙは、不図示のモータによって図２中の時計方向に回転駆動される。そして、帯電部４Ｙの位置で、感光体ドラム１Ｙの表面が一様に帯電される（帯電工程である。）。
その後、感光体ドラム１Ｙの表面は、露光部７（書込み部）から発せられたレーザ光Ｌの照射位置に達して、この位置での露光走査によってイエローに対応した静電潜像が形成される（露光工程である。）。
【００１５】
その後、感光体ドラム１Ｙの表面は、現像装置５Ｙとの対向位置に達して、この位置で静電潜像が現像されて、イエローのトナー像が形成される（現像工程である。）。
その後、感光体ドラム１Ｙの表面は、中間転写ベルト８及び第１転写バイアスローラ９Ｙとの対向位置に達して、この位置で感光体ドラム１Ｙ上のトナー像が中間転写ベルト８上に転写される（１次転写工程である。）。このとき、感光体ドラム１Ｙ上には、僅かながら未転写トナーが残存する。
【００１６】
その後、感光体１Ｙの表面は、クリーニング部２Ｙとの対向位置に達して、この位置で感光体ドラム１Ｙ上に残存した未転写トナーが回収される（クリーニング工程である。）。
最後に、感光体ドラム１Ｙの表面は、不図示の除電部との対向位置に達して、この位置で感光体ドラム１上の残留電位が除去される。
こうして、感光体ドラム１Ｙ上でおこなわれる、一連の作像プロセスが終了する。
【００１７】
なお、上述した作像プロセスは、他の作像部６Ｍ、６Ｃ、６Ｋでも、イエロー作像部６Ｙと同様におこなわれる。すなわち、作像部の下方に配設された露光部７から、画像情報に基いたレーザ光Ｌが、各作像部６Ｍ、６Ｃ、６Ｋの感光体ドラム上に向けて照射される。詳しくは、露光部７は、光源からレーザ光Ｌを発して、そのレーザ光Ｌを回転駆動されたポリゴンミラーで走査しながら、複数の光学素子を介して感光体ドラム上に照射する。
その後、現像工程を経て各感光体ドラム上に形成した各色のトナー像を、中間転写ベルト８上に重ねて転写する。こうして、中間転写ベルト８上にカラー画像が形成される。
【００１８】
ここで、中間転写ユニット１５は、中間転写ベルト８、４つの１次転写バイアスローラ９Ｙ、９Ｍ、９Ｃ、９Ｋ 、２次転写バックアップローラ１２、クリーニングバックアップローラ１３、テンションローラ１４、中間転写クリーニング部１０等で構成される。中間転写ベルト８は、３つのローラ１２〜１４によって張架・支持されるとともに、１つのローラ１２の回転駆動によって図１の矢印方向に無端移動される。
【００１９】
４つの１次転写バイアスローラ９Ｙ、９Ｍ、９Ｃ、９Ｋは、それぞれ、中間転写ベルト８を感光体ドラム１Ｙ 、１Ｍ 、１Ｃ 、１Ｋ との間に挟み込んで１次転写ニップを形成している。そして、１次転写バイアスローラ９Ｙ、９Ｍ、９Ｃ、９Ｋに、トナーの極性とは逆の転写バイアスが印加される。
そして、中間転写ベルト８は、矢印方向に走行して、各１次転写バイアスローラ９Ｙ、９Ｍ、９Ｃ、９Ｋの１次転写ニップを順次通過する。こうして、感光体ドラム１Ｙ 、１Ｍ 、１Ｃ 、１Ｋ上の各色のトナー像が、中間転写ベルト８上に重ねて１次転写される。
【００２０】
その後、各色のトナー像が重ねて転写された中間転写ベルト８は、２次転写ローラ１９との対向位置に達する。この位置では、２次転写バックアップローラ１２が、２次転写ローラ１９との間に中間転写ベルト８を挟み込んで２次転写ニップを形成している。そして、中間転写ベルト８上に形成された４色のトナー像は、この２次転写ニップの位置に搬送された転写紙等の被転写材Ｐ上に転写される。このとき、中間転写ベルト８には、被転写材Ｐに転写されなかった未転写トナーが残存する。
【００２１】
その後、中間転写ベルト８は、中間転写クリーニング部１０の位置に達する。そして、この位置で、中間転写ベルト８上の未転写トナーが回収される。
こうして、中間転写ベルト８上でおこなわれる、一連の転写プロセスが終了する。
【００２２】
ここで、２次転写ニップの位置に搬送された被転写材Ｐは、装置本体１００の下方に配設された給紙部２６から、給紙ローラ２７やレジストローラ対２８等を経由して搬送されたものである。
詳しくは、給紙部２６には、転写紙等の被転写材Ｐが複数枚重ねて収納されている。そして、給紙ローラ２７が図１中の反時計方向に回転駆動されると、一番上の被転写材Ｐがレジストローラ対２８のローラ間に向けて給送される。
【００２３】
レジストローラ対２８（タイミングローラ対）に搬送された被転写材Ｐは、回転駆動を停止したレジストローラ対２８のローラニップの位置で一旦停止する。そして、中間転写ベルト８上のカラー画像にタイミングを合わせて、レジストローラ対２８が回転駆動されて、被転写材Ｐが２次転写ニップに向けて搬送される。こうして、被転写材Ｐ上に、所望のカラー画像が転写される。
【００２４】
その後、２次転写ニップの位置でカラー画像が転写された被転写材Ｐは、定着部２０の位置に搬送される。そして、この位置で、定着ローラ及び圧力ローラによる熱と圧力とにより、表面に転写されたカラー画像が被転写材Ｐ上に定着される。
その後、被転写材Ｐは、排紙ローラ対２９のローラ間を経て、装置外へと排出される。排紙ローラ対２９によって装置外に排出された被転写材Ｐは、出力画像として、スタック部３０上に順次スタックされる。
こうして、画像形成装置における、一連の画像形成プロセスが完了する。
【００２５】
次に、図２にて、トナー補給装置９０の構成・動作について、簡単に説明する。
トナー補給装置９０は、設置部３１に設置されたトナー容器３２Ｙを正方向（図２の矢印方向である。）に回転駆動して、トナー容器３２Ｙ内に収容されたトナーを容器外に排出して、現像装置５Ｙに導くためのものであって、トナー補給経路（トナー搬送経路）を形成している。
なお、図２は、理解を容易にするために、トナー容器３２Ｙ、トナー補給装置９０、現像装置５Ｙの配置方向などを変えて図示している。実際には、図２において、トナー容器３２Ｙとトナー補給装置９０の一部との長手方向が紙面垂直方向になるように配設されている（図１を参照できる。）。また、搬送管９５、９６の向きや配置も簡略化して図示している。
【００２６】
装置本体１００の設置部３１に設置された各トナー容器３２Ｙ、３２Ｍ、３２Ｃ、３２Ｋ内のトナーは、各色の現像装置内のトナー消費に応じて、トナー色ごとに設けられたトナー補給装置を経て適宜に各現像装置内に補給される。４つのトナー補給装置は、作像プロセスに用いられるトナーの色が異なる以外はほぼ同一構造である。
詳しくは、トナー容器３２Ｙが装置本体１００の設置部３１にセットされると、トナー容器３２Ｙのボトル・ギア３７Ｙが装置本体１００の駆動ギア１１０に噛合するとともに、キャップ受部９１のキャップ開閉チャック９２によってトナー容器３２Ｙからキャップ３４Ｙ（開口部Ｃを塞ぐための部材である。）が取り外される。これにより、トナー容器３２Ｙの開口部Ｃが開放されて、トナー容器３２Ｙ内に収容されたトナーの排出が可能になる。
【００２７】
一方、トナー補給装置９０において、開放された開口部Ｃの下方には、落下経路部８２を介して貯留部８１が設けられている。貯留部８１の底部には吸引口８３が設けられていて、この吸引口８３がノズルを介して搬送管９５（チューブ）の一端に接続されている。搬送管９５は、親トナー性の低いフレキシブルなゴム材料からなり、その他端が紛体ポンプ６０（ダイヤフラムポンプ）に接続されている。粉体ポンプ６０は、サブホッパ７０、搬送管９６（チューブ）を介して現像装置５Ｙに接続されている。
このように構成されたトナー補給装置９０において、駆動モータ１１５によって駆動ギア１１０が駆動されるとトナー容器３２Ｙの容器本体３３Ｙが正方向に回転駆動されて、トナー容器３２Ｙの開口部Ｃからトナーが排出される。トナー容器３２Ｙから排出されたトナーは、落下経路部８２を落下して貯留部８１に貯留される。貯留部８１に貯留されたトナーは、粉体ポンプ６０が稼働することで、吸引口８３から吸引されて搬送管９５を介して粉体ポンプ６０からサブホッパ７０に向けて搬送される。そして、サブホッパ７０に搬送されたトナーは、搬送管９６を介して現像装置５Ｙ内に補給される。すなわち、トナー容器３２Ｙ内のトナーは、図２中の破線矢印方向に搬送されることになる。
【００２８】
次に、図３にて、作像部における現像装置（被補給体）の構成・動作について、さらに詳しく説明する。
現像装置５Ｙは、感光体ドラム１Ｙに対向する現像ローラ５１Ｙと、現像ローラ５１Ｙに対向するドクターブレード５２Ｙと、現像剤収容部５３Ｙ、５４Ｙ内に配設された２つの搬送スクリュ５５Ｙと、現像剤中のトナー濃度を検知する濃度検知センサ５６Ｙと、等で構成される。現像ローラ５１Ｙは、内部に固設されたマグネットや、マグネットの周囲を回転するスリーブ等で構成される。現像剤収容部５３Ｙ、５４Ｙ内には、キャリアとトナーとからなる２成分現像剤が収容されている。
なお、本実施の形態において用いられるトナーは、低融点のトナーであって、有機溶媒中に活性水素基を有する化合物と反応可能な変性ポリエステル樹脂を含むトナー組成分を溶解又は／及び分散させて、その溶解液又は分散液を、樹脂微粒子を含む水系媒体中で、活性水素基を有する化合物と反応させて得られたものである。そして、そのトナーバインダーは、その変性ポリエステル樹脂とともに、結晶性ポリエステル樹脂を含有している。このように、本実施の形態では、低融点トナーを用いていて、トナー容器３２Ｙの内壁面にトナーが付着しやすいため、後述するようにトナー容器３２Ｙに適宜に振動を与える構成が有用になる。
【００２９】
このように構成された現像装置５Ｙは、次のように動作する。
現像ローラ５１Ｙのスリーブは、図３の矢印方向に回転している。そして、マグネットにより形成された磁界によって現像ローラ５１Ｙ上に担持された現像剤は、スリーブの回転にともない現像ローラ５１Ｙ上を移動する。
ここで、現像装置５Ｙ内の現像剤は、現像剤中のトナーの割合（トナー濃度）が所定の範囲内になるように調整される。詳しくは、現像装置５Ｙ内のトナー消費に応じて、トナー容器３２Ｙに収容されているトナーが、トナー補給装置９０を介して現像剤収容部５４Ｙ内に補給される。
【００３０】
その後、現像剤収容部５４Ｙ内に補給されたトナーは、２つの搬送スクリュ５５Ｙによって、現像剤とともに混合・撹拌されながら、２つの現像剤収容部５３Ｙ、５４Ｙを循環する（図３の紙面垂直方向の長手方向の移動である。）。そして、現像剤中のトナーは、キャリアとの摩擦帯電によりキャリアに吸着して、現像ローラ５１Ｙ上に形成された磁力によりキャリアとともに現像ローラ５１Ｙ上に担持される。
現像ローラ５１Ｙ上に担持された現像剤は、図３中の矢印方向に搬送されて、ドクターブレード５２Ｙの位置に達する。そして、現像ローラ５１Ｙ上の現像剤は、この位置で現像剤量が適量化された後に、感光体ドラム１Ｙとの対向位置（現像領域である。）まで搬送される。そして、現像領域に形成された電界によって、感光体ドラム１Ｙ上に形成された潜像にトナーが吸着される。その後、現像ローラ５１Ｙ上に残った現像剤はスリーブの回転にともない現像剤収容部５３Ｙの上方に達して、この位置で現像ローラ５１Ｙから離脱される。
【００３１】
次に、図４にて、粉体ポンプ６０及びサブホッパ７０について詳述する。
図４を参照して、本実施の形態における粉体ポンプ６０は、ダイヤフラムポンプ（容積式ポンプ）であって、ダイヤフラム６１（ゴム部材）、ケース６２、モータ６７、回転板６８、逆止弁６３、６４、シール部材６５、６６（弾性部材）、等で構成されている。このように構成された粉体ポンプ６０は、比較的小型かつ低コストのものである。
【００３２】
ここで、ケース６２とダイヤフラム６１とでポンプ本体を形成する。
ケース６２は、剛性を有する樹脂材料又は金属材料からなり、ポンプ本体の主部（ハウジング）として機能する。ケース６２（ポンプ本体）には、内部に向けて現像剤を空気とともに流入するための流入口Ａと、内部から現像剤を空気とともに流出するための流出口Ｂと、が形成されている。
ダイヤフラム６１は、親トナー性が低く弾性を有するゴム材料で形成されていて、椀状に形成された部分の内部が容積可変部Ｗとして機能して、その外周部に起立するようにアーム部６１ａ（その穴部に回転板６８の偏心軸６８ａが嵌合している。）が形成されている。ダイヤフラム６１はケース６２に対して隙間が生じないように接合されていて、ダイヤフラム６１の容積可変部Ｗと、ケース６２の内部と、がポンプ本体の内部において１つの閉空間として形成されている。そして、ポンプ本体６１、６２は、後述する回転板６８（偏心軸６８ａ）の回転にともなうダイヤフラム６１の伸縮動作によって、内部の容積を増減させて正圧と負圧とを交互に発生させることになる。
【００３３】
回転板６８は、モータ６７のモータ軸に設置されていて、その面上においてモータ軸（回転中心）から偏心した位置に起立するように偏心軸６８ａが設けられている。回転軸６８の偏心軸６８ａは、ダイヤフラム６１におけるアーム部６１ａの先端部に形成された穴部に挿入（嵌合）されている。
このような構成により、制御部に制御されてモータ６７が駆動されることで、回転板６８（偏心軸６８ａ）が回転して、それにともないダイヤフラム６１が容積可変部Ｗの容積を周期的に増減するように伸縮することになる。そして、このようなダイヤフラム６１の伸縮動作にともない、ポンプ本体６１、６２の内部に正圧と負圧とが交互に発生されることになる。
【００３４】
ここで、ポンプ本体（ケース６２）の流入口Ａには、流入側逆止弁６３が設置されている。この流入側逆止弁６３は、ポンプ本体６１、６２の内部に負圧が発生したときに流入口Ａを開放して、ポンプ本体６１、６２の内部に正圧が発生したときに流入口Ａを閉鎖するものである。流入側逆止弁６３は、ポンプ本体６１、６２の内側（内部）から流入口Ａに対向するように配設されている。粉体ポンプ６０における流入口Ａの側には、搬送管９５を介して貯留部８１が接続されている。
他方、ポンプ本体（ケース６２）の流出口Ｂには、流出側逆止弁６４が設置されている。この流出側逆止弁６４は、ポンプ本体６１、６２の内部に負圧が発生したときに流出口Ｂを閉鎖して、ポンプ本体６１、６２の内部に正圧が発生したときに流出口Ｂを開放するものである。流出側逆止弁６４は、ポンプ本体６１、６２の外側から流出口Ｂに対向するように配設されている。粉体ポンプ６０における流出口Ｂの側には、サブホッパ７０が接続されている。
このような構成・動作により、先に図２を用いて説明したように、粉体ポンプ６０が稼働することで、貯留部８１内に貯留されたトナーが吸引口８３から吸引されて搬送管９５を搬送された後に、サブホッパ７０内にトナーが搬送されることになる。詳しくは、サブホッパ７０のホッパ残量センサ７６がサブホッパ７０内におけるトナー量の不足を検知すると、粉体ポンプ６０（モータ６７）を駆動して、貯留部８１からサブホッパ７０へのトナー補給をおこなう。
【００３５】
図４を参照して、サブホッパ７０には、２つの搬送スクリュ７１、７２、ホッパ残量センサ７６、補給モータ（不図示である。）、等が設置されている。また、サブホッパ７０の第１搬送経路（第１搬送スクリュ７１が設置された搬送経路である。）の上流側の上方には、粉体ポンプ６０の流出口Ｂに連通する補給口が形成されている。サブホッパ７０の第２搬送経路（第２搬送スクリュ７２が設置された搬送経路である。）の下流側の下方には排出口７４が形成されていて、この排出口７４が搬送管９６（チューブ）を介して現像装置５Ｙに接続されている。また、サブホッパ７０の第２搬送経路の上方には、粉体ポンプ６０からトナーとともに送入された空気を排出するための排気口７５が設けられている。なお、第２の搬送管９６は、先に説明した第１の搬送管９５と同様に、親トナー性が低く弾性を有するフレキシブルなゴム材料で形成されている。
【００３６】
ここで、サブホッパ７０において、第１搬送経路の下流側と第２搬送経路の上流側とは長手方向（図３及び図５の紙面垂直方向である。）の一端側で連通しているが、その連通部分を除いて第１搬送経路と第２搬送経路とは壁部で隔絶されている。
そして、サブホッパ７０内に補給されたトナーは、補給モータによって回転駆動される搬送スクリュ７１、７２によって、サブホッパ７０内の第１搬送経路、第２搬送経路の順に搬送されて、その後にサブホッパ７０から搬送管９６を介して現像装置５Ｙ内に補給される。詳しくは、現像装置５Ｙの濃度検知センサ５６Ｙが現像剤収容部５４Ｙにおけるトナー濃度の不足を検知すると、サブホッパ７０の搬送スクリュ７１、７２を回転駆動して、サブホッパ７０から現像装置５Ｙへのトナー補給をおこなう。
このように、本実施の形態では、トナー容器３２Ｙからのトナーの搬送経路をフレキシブルな搬送管９５、９６（チューブ）で形成しているために、トナー容器３２Ｙの設置部３１を現像装置５Ｙから離れた位置に比較的自由にレイアウトすることができる。
【００３７】
次に、図２、図５等を用いて、トナー容器３２Ｙについての説明と、それに付随するトナー補給装置９０についての説明と、をおこなう。
先に図２等で説明したように、トナー容器３２Ｙは、主として、容器本体３３Ｙと、その開口部Ｃに着脱可能に設けられたキャップ３４Ｙ（栓部材）と、で構成される。
容器本体３３Ｙの頭部には、容器本体３３Ｙと一体的に回転するボトル・ギア３７Ｙと、開口部Ｃと、が設けられている。ボトル・ギア３７Ｙは、装置本体１００の駆動ギア１１０（図２を参照できる。）と噛合して容器本体３３Ｙを正方向（又は、逆方向）に回転駆動するためのものである。また、開口部Ｃは、容器本体３３Ｙ内に収容されたトナー（粉体）を落下経路部８２に向けて排出するためのものである。
容器本体３３Ｙには、外周面から内周面にかけて、螺旋状の突起３３ａが設けられている。この螺旋状の突起３３ａは、容器本体３３Ｙを回転駆動して開口部Ｃからトナーを排出するためのものである。
なお、このように構成された容器本体３３Ｙは、ボトル・ギア３７Ｙとともにブロー成形にて製造することができる。
【００３８】
一方、図２及び図５を参照して、トナー補給装置９０のキャップ受部９１は、設置部３１（トナー補給装置９０）に設置された状態のトナー容器３２Ｙの頭部を覆うように設けられている。
キャップ受部９１には、トナー容器３２Ｙの着脱動作に連動してキャップ３４Ｙの開閉動作をおこなうキャップ開閉チャック９２や、キャップ開閉チャック９２を駆動する開閉駆動部（不図示である。）や、落下経路部８２や、貯留部８１、等が設けられている。そして、設置部３１上に載置されたトナー容器３２Ｙがキャップ受部９１に向けてスライド移動されて、キャップ３４Ｙがキャップ開閉チャック９２の位置に達すると、さらにトナー容器３２Ｙをスライド移動させて押し込む動作に連動して、キャップ開閉チャック９２がキャップ３４Ｙを挟んだ状態で開口部Ｃからキャップ３４Ｙを離脱させるように開閉駆動部が稼働する。これにより、トナー容器３２Ｙの開口部Ｃが開放された状態になって、開口部Ｃからのトナー排出が可能になる。また、このようなトナー容器３２Ｙの装着動作に連動して、ロック機構が稼働してトナー容器３２Ｙが設置部３１から取り外されないようにロックされる。
なお、設置部３１（トナー容器受台）に対してトナー容器３２Ｙが離脱されるときには、上述した装着時の動作と逆の動作がおこなわれることになる。
【００３９】
トナー補給装置９０の貯留部８１は、落下経路部８２を落下したトナーが貯留されるように略椀状に形成されていて、その内部にはトナー残量検知手段としてのトナー検知センサ８６や撹拌部材（不図示である。）が設置されている。粉体ポンプ６０は、搬送管９５を介して貯留部８１の吸引口８３に接続されていて、貯留部８１に貯留されたトナーを吸引して搬送管９５を搬送させる。
このように、本実施の形態では、トナー容器３２Ｙから排出されたトナーを粉体ポンプ６０によって直接的に吸引するのではなくて、トナー容器３２Ｙから排出されて貯留部８１にある程度貯留されたトナーのうち、必要な量だけ粉体ポンプ６０で吸引するように構成しているため、粉体ポンプ６０で吸引するトナー量に不足が生じてしまう不具合を確実に軽減することができる。
【００４０】
トナー残量検知手段としてのトナー検知センサ８６は、トナー容器３２Ｙの内部に収容されたトナーが空になった状態（トナーエンド状態）、又は、それに近い状態（トナーニアエンド状態）を間接的に検知するためのものであって、吸引口８３に近い位置に設置している。そして、トナー検知センサ８６の検知結果に基いて、トナー容器３２Ｙからトナーを排出している。
詳しくは、トナー検知センサ８６としては、圧電センサ、透過光センサなどを用いることができる。本実施の形態では、トナー検知センサ８６として圧電センサを用いている。トナー検知センサ８６の検知面の高さは、吸引口８３の上方に堆積されるトナー量（堆積高さ）が狙いの値になるように設定されている。
そして、トナー検知センサ８６の検知結果に基いて、トナー容器３２Ｙ（容器本体３３Ｙ）を回転駆動する駆動モータ１１５の正方向の駆動タイミングや駆動時間が制御される。具体的に、トナー検知センサ８６によってその位置にトナーがないものと判別された場合には駆動モータ１１５が正方向に所定時間だけ駆動されて、トナー検知センサ８６によってその位置にトナーがあるものと判別された場合には駆動モータ１１５の正方向の駆動が停止されることになる。
【００４１】
以下、図５〜図７等を用いて、本実施の形態において特徴的な、トナー補給装置９０（及び、トナー容器３２Ｙ）の構成・動作について説明する。
上述したように、トナー補給装置９０は、略筒状に形成されたトナー容器３２Ｙを正方向（図５の矢印方向であって、図６（Ａ１）〜（Ａ３）の矢印方向である。）に回転駆動して、トナー容器３２Ｙに収容されたトナーを容器外に排出させるトナー容器駆動装置として機能するものである。
ここで、本実施の形態におけるトナー補給装置９０は、トナー容器３２Ｙを正方向とは逆の逆方向にも回転駆動できるように構成されている。具体的に、トナー容器３２Ｙを回転駆動する駆動モータ１１５は、正逆双方向回転型のモータであって、制御部による制御によりトナー容器３２Ｙを、正方向（図６（Ａ１）〜（Ａ３）の矢印方向（時計方向）である。）に回転駆動したり、逆方向（図６（Ｂ１）〜（Ｂ２）の矢印方向（反時計方向）である。）に回転駆動したり、その回転方向を切り替えることができる。
【００４２】
そして、トナー像が担持される感光体ドラム１Ｙ（像担持体）の表面に静電潜像が形成されないタイミングで、トナー容器３２Ｙを逆方向に回転駆動しながら、少なくともトナー容器３２Ｙを正方向に回転駆動するときよりも大きな振動をトナー容器３２Ｙに与えている。
詳しくは、図５、図６等を参照して、トナー容器３２Ｙは、その外周面に、正方向（図６の時計方向である。）の回転方向に対して上流側から下流側に向けて突出量が漸増するように形成された突出部３３ｂ（凸部）が設けられている。さらに具体的に、突出部３３ｂは、正方向の回転方向に対して、上流側端部における外周面からの突出量が０になり、下流側に進むにしたがって外周面からの突出量が漸増して、下流側端部における外周面からの突出量が０．９〜１．３ｍｍ程度になり、下流側端部と外周面との間に略径方向の段差が形成されるように、略スロープ状に形成されている。突出部３３ｂは、容器本体３３Ｙの主部と一体的に樹脂材料で形成されている。
【００４３】
そして、トナー容器３２Ｙの正方向又は逆方向の回転周期に合わせて突出部３３ｂに接触するように、トナー容器３２Ｙの外周面に摺接する弾性部材としての板バネ９８が設けられている。
具体的に、弾性部材としての板バネ９８は、図６（Ａ１）〜（Ａ３）を参照して、正方向に回転するトナー容器３２Ｙに対してカウンタ方向に所定の圧接力で摺接するように形成されていて、その先端部（図６（Ａ１）にて破線で囲んだ部分である。）がトナー容器３２Ｙから離れる方向にＲ状に反るように形成されている。図示は省略するが、板バネ９８の根元部は、トナー補給装置９０の筐体に固定支持されている。また、本実施の形態において、板バネ９８は、板厚が１ｍｍ以下のリン青銅やステンレス鋼等の金属材料で形成されている。また、板バネ９８の先端部の反り形状は、トナー容器３２Ｙの突出部３３ｂの段差を充分に乗り越える程度の長さ（例えば、Ｒ２．０ｍｍ以上）に設定されている。
【００４４】
このような構成により、通常のトナー補給動作において、駆動モータ１１５の正転によってトナー容器３２Ｙが正方向に回転駆動されると、図６（Ａ１）に示すように、板バネ９８がトナー容器３２Ｙの外周面に摺接することになる。そして、トナー容器３２Ｙの正方向の回転が進められて、板バネ９８の位置に突出部３３ｂが達すると、図６（Ａ２）に示すように、突出部３３ｂの段差（正方向回転方向の上流側端部である。）に板バネ９８の先端部が持ち上げられるようにして、板バネ９８が弾性変形することになる。そして、トナー容器３２Ｙの正方向の回転がさらに進められると、図６（Ａ３）に示すように、板バネ９８の先端部が突出部３３ｂのスロープに沿うように接触しながら、板バネ９８の弾性変形が徐々に解除されていく。このような動作は、トナー容器３２Ｙが正方向に１回転するごとに繰り返されることになる。
このように、トナー容器３２Ｙが正方向に回転するときには、板バネ９８が突出部３３ｂに比較的滑らかに干渉することになるため、それによって生じる振動は、ほとんどないか、あったとしても非常に小さなものになる。したがって、通常のトナー補給動作が作像プロセスにおける露光工程時におこなわれたとしても、それにより露光部７（書込み部）に振動が伝わることがほとんどないため、露光部７による書込み不良が生じることはない。
【００４５】
これに対して、トナー補給動作がおこなわれないときであって、非露光工程時に、駆動モータ１１５の逆転によってトナー容器３２Ｙが逆方向に回転駆動されると、トナー容器３２Ｙの外周面に摺接する板バネ９８は、やがて、突出部３３ｂが達すると、図６（Ｂ１）に示すように、その先端部が突出部３３ｂのスロープに沿うように接触しながら、板バネ９８の弾性変形が徐々に増幅されていく。そして、トナー容器３２Ｙの逆方向の回転がさらに進められると、図６（Ｂ２）に示すように、突出部３３ｂの段差（逆方向回転方向の下流側端部である。）から板バネ９８の先端部が急落するようにして、板バネ９８の弾性変形が一気に解除されて、そのとき板バネ９８が外周面を打撃することによりトナー容器３２Ｙに大きな振動が与えられることになる。このような動作は、トナー容器３２Ｙが逆方向に１回転するごとに繰り返されることになる。
このように、トナー容器３２Ｙが逆方向に回転するときには、板バネ９８が突出部３３ｂに比較的激しく干渉することになるため、それによって生じる振動は、比較的大きなものになる。したがって、トナー容器３２Ｙの内壁にトナーが付着しようとしていても、振動によってその付着が防止されたり、トナー容器３２Ｙの内壁にトナーが付着していても、振動によってその付着したトナーが振り落されたりして、通常のトナー補給動作が安定的に良好におこなわれるとともに、トナー容器３２Ｙの内壁にトナーが付着してトナーエンド時におけるトナー容器３２Ｙ内のトナー残量が多くなる不具合を確実に軽減することができる。また、このようにトナー容器３２Ｙに振動を与えるのは、露光工程がおこなわれていないときであるため、露光部７の振動による書込み不良が生じることはない。
【００４６】
特に、上述したトナー容器３２Ｙを逆回転しながら加振する動作（以下、適宜に「逆回転・加振モード」と呼ぶ。）を、非露光工程時であって、他の部材の駆動時（例えば、給紙部２６の給紙ローラ２７が回転駆動されているときである。）におこなうことで、トナー容器３２Ｙを加振したときの騒音を目立たなくすることができる。
なお、通常のトナー補給動作（正方向の回転時）には逆回転・加振モード時に比べてトナー容器３２Ｙに生じる振動が小さいものの、逆回転・加振モード時に生じる振動を過度に大きく設定してしまうと、通常のトナー補給動作（正方向回転時）にも書込み不良が生じる程度の振動が生じてしまう可能性があるため、そのような不具合が生じない程度に種々の特性値（例えば、突出部３３ｂの突出量や、板バネ９８の形状や配置などである。）が定められている。
【００４７】
ここで、本実施の形態では、トナー容器３２Ｙが新たにトナー補給装置９０に装着されたとき（新品のトナー容器３２Ｙをセットしたときである。）に、トナー容器３２Ｙを逆方向に回転駆動しながら大きな振動を与える動作（逆回転・加振モードである。）を実行するように制御している。
これにより、セット前の新品のトナー容器３２Ｙの保存状態によって内壁面に多くのトナーが付着しているような場合であっても、それらの付着トナーを取り除いて、セット直後から良好なトナー補給動作をおこなうことができる。
【００４８】
また、本実施の形態では、トナー検知センサ８６（トナー残量検知手段）によってトナー容器３２Ｙが空になった状態（トナーエンド状態）又はそれに近い状態（トナーニアエンド状態）が検知されたときに、逆回転・加振モードを実行して、その後にトナー検知センサ８６によって再びトナーエンド状態又はトナーニアエンド状態が検知されたときに、その状態を画像形成装置本体１００の表示パネル（不図示である。）に報知するように制御している。
これにより、トナー容器３２Ｙの内壁面に多くのトナーが付着した状態でトナーエンド検知やトナーニアエンド検知がされて、早期かつ無駄にトナー容器３２Ｙが交換されてしまう不具合を防止することができる。なお、本実施の形態では、貯留部８１に設置されたトナー検知センサ８６によってトナー容器３２Ｙ内のトナーエンド状態やトナーニアエンド状態を間接的に検知したが、トナー容器３２Ｙ内にトナー残量検知手段を設置するなどして、トナー容器３２Ｙ内のトナーエンド状態やトナーニアエンド状態を直接的に検知することもできる。
【００４９】
また、本実施の形態では、図２を参照して、トナー容器３２Ｙの正方向の回転駆動時間（累積回転時間）を検知する駆動時間検知手段としてのタイマー１２０が設置されている。そして、タイマー１２０（駆動時間検知手段）によって検知された回転駆動時間が所定時間に達するごと（例えば、２０分ごとである。）に、逆回転・加振モードを実行している。
このようにトナー容器３２Ｙが所定時間回転されるごとに逆回転・加振モードをおこなうのは、トナー容器３２Ｙの内壁面にトナーが付着する度合いが、トナー容器３２Ｙの動作時間にある程度比例するためである。
そして、このように制御することにより、経時においても良好なトナー補給動作を安定的におこなうことができるとともに、トナーエンド時におけるトナー残量を確実に少なくすることができる。
【００５０】
また、本実施の形態では、図２を参照して、トナー容器３２Ｙの近傍の温湿度を検知する温湿度検知手段としての温湿度センサ１３０を設置している。そして、温湿度センサ１３０（温湿度検知手段）によって検知された温湿度に応じて、逆回転・加振モードを実行する動作間隔又は動作時間を可変している。具体的に、温湿度センサ１３０によって高温高湿状態が検知された場合には、常温常湿状態が検知された場合に比べて、逆回転・加振モードを実行する動作間隔を短くしたり動作時間を長くしたりするように制御する。これに対して、温湿度センサ１３０によって低温低湿状態が検知された場合には、常温常湿状態が検知された場合に比べて、逆回転・加振モードを実行する動作間隔を長くしたり動作時間を短くしたりするように制御する。
このような制御をおこなうのは、高温高湿時にはトナー容器３２Ｙの内壁面にトナーが付着しやすく、低温低湿時にはトナー容器３２Ｙの内壁面にトナーが付着しにくいためである。
そして、このように制御することにより、経時においても良好なトナー補給動作を安定的かつ効率的におこなうことができるとともに、トナーエンド時におけるトナー残量を確実かつ効率的に少なくすることができる。
【００５１】
さらに、本実施の形態では、逆回転・加振モードが実行された後に、その実行時間と同じ時間だけトナー容器３２Ｙを正方向に回転駆動するように制御している。
これは、トナー容器３２Ｙを逆方向に回転駆動することにより、トナー容器３２Ｙ内のトナーは開口部Ｃ側から遠ざかる底部側に搬送されることになるためである。すなわち、トナー容器３２Ｙを逆回転した場合には、その直後に同じ時間だけトナー容器３２Ｙを正回転することで、トナー容器３２Ｙ内のトナーの搬送状態を逆回転開始前の状態に戻している。
このような制御をおこなうことで、逆回転・加振モードをおこなっても、その直後のトナー補給動作が乱れる不具合を未然に防止することができる。
【００５２】
以下、図７を用いて、上述した逆回転・加振モード時におこなわれる制御の一部について、制御フローの一例として説明する。
図７を参照して、まず、トナー容器３２Ｙがトナー補給装置９０にセットされてからの累積の回転駆動時間がタイマー１２０によって計測される（ステップＳ１、Ｓ２）。そして、トナー検知センサ８６によってトナーエンド状態やトナーニアエンド状態が検知されていないかが判別されて（ステップＳ３）、その結果、トナーエンド状態やトナーニアエンド状態が検知されていない場合には、ステップＳ２で計測した時間を補正した補正時間Ｈが閾値Ｘを超えていないかが判別される（ステップＳ４）。ここで、補正時間Ｈは、温湿度センサ１３０によって検知された温湿度に基づいて回転駆動時間を補正したものであって、高温高湿時には回転駆動時間を増加させる補正係数が積算されて、低温低湿時には回転駆動時間を減少させる補正係数が積算される。
【００５３】
そして、ステップＳ４にて、補正時間Ｈが閾値Ｘを超えているものと判別された場合、トナー容器３２Ｙの内壁面にトナーが付着しているものとして、逆回転・加振モードが実行される（ステップＳ５）。その後、逆回転・加振モードの実行時間と同じ時間だけ、トナー容器３２Ｙの正方向の回転駆動がおこなわれて（ステップＳ７）、補正時間Ｈがリセットされる（ステップＳ７）。
なお、ステップＳ３にて、トナーエンド状態やトナーニアエンド状態が検知された場合には、ステップＳ５以降のフローがおこなわれることになる。
【００５４】
なお、本実施の形態では、トナー容器３２Ｙに突出部３３ｂを設けたが、図８に示すように、トナー容器３２Ｙに窪み部３３ｃ（凹部）を設けることもできる。
詳しくは、図８に示すように、トナー容器３２Ｙの外周面には、正方向（図８（Ａ１）〜（Ａ３）の矢印方向（時計方向）である。）の回転方向に対して下流側から上流側に向けて窪み量が漸増するように窪み部３３ｃが形成されている。さらに具体的に、窪み部３３ｃは、正方向の回転方向に対して、下流側端部における外周面からの窪み量が０になり、上流側に進むにしたがって外周面からの窪み量が漸増して、上流側端部における外周面からの窪み量が０．９〜１．３ｍｍ程度になり、上流側端部と外周面との間に略径方向の段差が形成されるように、略スロープ状に形成されている。
そして、トナー容器３２Ｙの正方向又は逆方向の回転周期に合わせて窪み部３３ｃに接触するように外周面に摺接する板バネ９８（弾性部材）が設けられている。
【００５５】
そして、通常のトナー補給動作において、駆動モータ１１５の正転によってトナー容器３２Ｙが正方向に回転駆動されると、図８（Ａ１）に示すように、板バネ９８がトナー容器３２Ｙの外周面に摺接することになる。そして、トナー容器３２Ｙの正方向の回転が進められて、板バネ９８の位置に窪み部３３ｃが達すると、図８（Ａ２）に示すように、板バネ９８の先端部が窪み部３３ｃのスロープに沿うように接触しながら、板バネ９８の弾性変形が徐々に解除されていく。そして、トナー容器３２Ｙの正方向の回転がさらに進められると、図８（Ａ３）に示すように、窪み部３３ｃの段差（正方向回転方向の上流側端部である。）に板バネ９８の先端部が持ち上げられるようにして、板バネ９８が弾性変形することになる。このような動作は、トナー容器３２Ｙが正方向に１回転するごとに繰り返されることになる。
このように、トナー容器３２Ｙが正方向に回転するときには、板バネ９８が窪み部３３ｃに比較的滑らかに干渉することになるため、それによって生じる振動は、ほとんどないか、あったとしても非常に小さなものになる。したがって、通常のトナー補給動作が作像プロセスにおける露光工程時におこなわれたとしても、それにより露光部７（書込み部）に振動が伝わることがほとんどないため、露光部７による書込み不良が生じることはない。
【００５６】
これに対して、トナー補給動作がおこなわれないときであって、非露光工程時に、駆動モータ１１５の逆転によってトナー容器３２Ｙが逆方向に回転駆動されると、トナー容器３２Ｙの外周面に摺接する板バネ９８は、やがて、図８（Ｂ１）に示すように、窪み部３３ｃが達すると、図８（Ｂ２）に示すように、窪み部３３ｃの段差（逆方向回転方向の下流側端部である。）から板バネ９８の先端部が急落するようにして、板バネ９８の弾性変形が一気に解除されて、そのとき板バネ９８が窪み部３３ｃを打撃することによりトナー容器３２Ｙに大きな振動が与えられることになる。そして、トナー容器３２Ｙの逆方向の回転がさらに進められると、板バネ９８の先端部が窪み部３３ｃのスロープに沿うように接触しながら、板バネ９８の弾性変形が徐々に増幅されていく。このような動作は、トナー容器３２Ｙが逆方向に１回転するごとに繰り返されることになる。
このように、トナー容器３２Ｙが逆方向に回転するときには、板バネ９８が窪み部３３ｃに比較的激しく干渉することになるため、それによって生じる振動は、比較的大きなものになる。したがって、トナー容器３２Ｙの内壁にトナーが付着しようとしていても、振動によってその付着が防止されたり、トナー容器３２Ｙの内壁にトナーが付着していても、振動によってその付着したトナーが振り落されたりして、通常のトナー補給動作が安定的に良好におこなわれるとともに、トナー容器３２Ｙの内壁にトナーが付着してトナーエンド時におけるトナー容器３２Ｙ内のトナー残量が多くなる不具合を確実に軽減することができる。また、このようにトナー容器３２Ｙに振動を与えるのは、露光工程がおこなわれていないときであるため、露光部７の振動による書込み不良が生じることはない。
【００５７】
また、本実施の形態において、図９に示すように、板バネ９８の先端部に、コロ９９を回転可能に設置することもできる。このように構成した場合には、図９（Ａ１）、（Ａ２）に示すように、正方向に回転するトナー容器３２Ｙの突出部３３ｂの段差に対して、コロ９９が回転しながら板バネ９８の先端部を持ち上げることになるため、板バネ９８が段差に引っ掛かることなくスムーズに弾性変形することになる。
【００５８】
以上説明したように、本実施の形態では、トナー容器３２Ｙをトナー補給動作時における正方向とは逆の逆方向にも回転駆動できるように構成して、トナー像が担持される感光体ドラム１Ｙ（像担持体）の表面に潜像が形成されないタイミングで、トナー容器３２Ｙを逆方向に回転駆動しながら、少なくともトナー容器３２Ｙを正方向に回転駆動するときよりも大きな振動をトナー容器３２Ｙに与えている。これにより、感光体ドラム１Ｙ上に形成される潜像が乱れる不具合が生じることなく、トナー容器３２Ｙの内壁に付着して残留するトナーを少なくすることができる。
【００５９】
なお、本実施の形態では、トナー容器３２Ｙ、３２Ｍ、３２Ｃ、３２Ｋ内にトナーのみを収容したが、トナーとキャリアとからなる２成分現像剤を現像装置５に適宜に供給する画像形成装置に対してはトナー容器３２Ｙ、３２Ｍ、３２Ｃ、３２Ｋ内に２成分現像剤（トナーとキャリアとである。）を収容することもできる。
また、本実施の形態では、粉体ポンプ６０としてダイヤフラムポンプを用いたが、粉体ポンプ６０としてその他のポンプ（例えば、モーノポンプ、ベローズポンプ等である。）を用いることもできるし、粉体ポンプ６０を用いることなくその他の方式（例えば、搬送コイルや搬送スクリュでトナーを搬送する方式や、トナー容器から排出されたトナーを自重落下させて現像装置に向けて直接的に補給する方式である。）でトナーを補給するトナー補給装置に対しても、当然に本発明を適用することができる。
そして、これらのような場合であっても、本実施の形態のものとほぼ同様の効果を得ることができる。
【００６０】
また、本実施の形態では、トナー容器３２Ｙに１つの突出部３３ｂ（又は、窪み部３３ｃ）を設けて、それに対応するように板バネ９８（弾性部材）をトナー補給装置９０に設置した。これに対して、トナー容器３２Ｙにおいて外周方向に複数の突出部３３ｂ（又は、窪み部３３ｃ）を設けたり、トナー容器３２Ｙにおいて長手方向に複数の突出部３３ｂ（又は、窪み部３３ｃ）を設けたりして、それらに対応するように板バネ９８（弾性部材）をトナー補給装置９０に設置することもできる。そのような場合、トナー容器３２Ｙを何周も回転させなくても、トナー容器３２Ｙに多くの振動を与えることができる。
また、本実施の形態では、トナー容器３２Ｙの頭部側にボトル・ギア３７Ｙを設けて、ギア駆動によりトナー容器３２Ｙを回転駆動した。これに対して、特許文献２等のように、トナー容器の底部にカップリングを設けて、カップリング駆動によりトナー容器を回転駆動することもできる。
そして、これらのような場合であっても、本実施の形態のものとほぼ同様の効果を得ることができる。
【００６１】
また、本実施の形態では、露光部７（書込み部）がトナー容器３２Ｙ、３２Ｍ、３２Ｃ、３２Ｋから比較的離れた位置に配設された画像形成装置１００に対して、本発明を適用した。これに対して、露光部（書込み部）がトナー容器に対して比較的近い位置に配設された画像形成装置（例えば、特許文献３等に開示されたものである。）に対しても、当然に本発明を適用することができる。そして、そのように露光部（書込み部）がトナー容器に対して比較的近い位置に配設された画像形成装置では、露光工程時にトナー容器で生じた振動が露光部に伝わりやすいため、特に本発明の構成・動作が有用になる。
【００６２】
なお、本発明が本実施の形態に限定されず、本発明の技術思想の範囲内において、本実施の形態の中で示唆した以外にも、本実施の形態は適宜変更され得ることは明らかである。また、上記構成部材の数、位置、形状等は本実施の形態に限定されず、本発明を実施する上で好適な数、位置、形状等にすることができる。
【符号の説明】
【００６３】
５Ｙ  現像装置（被補給体）、
３１  設置部（トナー容器受台）、
３２Ｙ、３２Ｍ、３２Ｃ、３２Ｋ  トナー容器（粉体容器）、
３３Ｙ  容器本体、
３３ａ  突起（螺旋状の突起）、
３３ｂ  突出部（凸部）、
３３ｃ  窪み部（凹部）、
３４Ｙ  キャップ、
６０  粉体ポンプ（ダイヤフラムポンプ）、
７０  サブホッパ、
８６  トナー検知センサ（トナー残量検知手段）、
９０  トナー補給装置（粉体補給装置）、
９５、９６  搬送管、
９８  板バネ（弾性部材）、
１００  画像形成装置（画像形成装置本体）、
１１５  駆動モータ、
１２０  タイマー（駆動時間検知手段）、
１３０  温湿度センサ（温湿度検知手段）。
【先行技術文献】
【特許文献】
【００６４】
【特許文献１】特許第４４５６９５７号公報
【特許文献２】特開平１１−１０９７３７号公報
【特許文献３】特開平８−３１４２５８号公報
【図１】
2015200769.tif 000003
【図２】
2015200769.tif 000004
【図３】
2015200769.tif 000005
【図４】
2015200769.tif 000006
【図５】
2015200769.tif 000007
【図６】
2015200769.tif 000008
【図７】
2015200769.tif 000009
【図８】
2015200769.tif 000010
【図９】
2015200769.tif 000011